(57)【要約】  下りリンクにおいて適切なＭＩＭＯレイヤ数で受信処理を行うことができるユーザ端末、無線基地局、及び、無線通信方法を提供する。ユーザ端末は、無線基地局から下りリンク信号を受信する受信部を備える。また、ユーザ端末は、下りリンク信号に含まれる制御情報に基づいて最大ＭＩＭＯレイヤ数を想定する制御部、を備える。下りリンク信号が、ＭＩＭＯレイヤ数を示す第１制御情報を含む場合、制御部は、第１制御情報に基づいて最大ＭＩＭＯレイヤ数を想定する。
2020070898.tif 000002
【特許請求の範囲】
【請求項１】
無線基地局から下りリンク信号を受信する受信部と、
下りリンク信号に含まれる制御情報に基づいて最大ＭＩＭＯレイヤ数を想定する制御部と、
を備える、
ユーザ端末。
【請求項２】
前記下りリンク信号は、ＭＩＭＯレイヤ数を示す第１制御情報を含み、
前記制御部は、前記第１制御情報に基づいて最大ＭＩＭＯレイヤ数を想定する、
請求項１に記載のユーザ端末。
【請求項３】
前記下りリンク信号は、第１の設定情報であり、
前記制御部は、第１の設定情報の複数の所定のパラメータN1, N2に基づいて最大ＭＩＭＯレイヤ数を想定する、
請求項１に記載のユーザ端末。
【請求項４】
前記下りリンク信号は、第１の上位レイヤパラメータであり、
前記制御部は、第１の上位レイヤパラメータにおいて作動（Activate）されているRI/PMIのうち最大レイヤ数のものに基づいて最大ＭＩＭＯレイヤ数を想定する、
請求項１に記載のユーザ端末。
【請求項５】
前記下りリンク信号は、第２の設定情報であり、
前記制御部は、第２の設定情報において設定されている所定の参照信号のアンテナポート数に基づいて最大ＭＩＭＯレイヤ数を想定する、
請求項１に記載のユーザ端末。
【請求項６】
無線基地局に上りリンク信号を送信する送信部と、
上りリンク信号に含まれる制御情報に基づいて最大ＭＩＭＯレイヤ数を想定する制御部と、
を備え、
前記上りリンク信号は、第２の上位レイヤパラメータであり、
前記制御部は、第２の上位レイヤパラメータで報告した能力に基づいて最大ＭＩＭＯレイヤ数を想定する、
ユーザ端末。
【請求項７】
ユーザ端末から上り信号を受信する受信部と、
前記上り信号に含まれる制御情報に基づいて、コードワード数および最大ＭＩＭＯリンク数を決定する制御部と、
前記ユーザ端末に前記ＭＩＭＯレイヤ数を示す制御情報を含む下りリンク信号を送信する送信部と、
を備える、
無線基地局。
【請求項８】
無線基地局から下りリンク信号を受信し、
下りリンク信号に含まれる制御情報に基づいて最大ＭＩＭＯレイヤ数を想定する、
無線通信方法。
【発明の詳細な説明】
【技術分野】
【０００１】
本開示は、ユーザ端末、無線基地局、及び、無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
New Radio（ＮＲ）では、信号伝送の更なる高速化及び干渉低減を図るために、高周波数帯（例えば、５ＧＨｚ以上）において多数のアンテナ素子（例えば、１００素子以上）を用いる大規模（Massive）ＭＩＭＯ（Multiple Input Multiple Output）伝送を行う。ＭＩＭＯ伝送は、プリコーディングによるマルチレイヤ伝送で、プリコーディングはコードブックに基づいている。New Radio（ＮＲ）では、最大８レイヤまでサポートされ、プリコーディングの要素であるコードワードは最大２つまでサポートされている。【０００４】
New Radio（ＮＲ）では、ユーザ端末（ＵＥ：User Equipment）が、ＵＥの能力を示すシグナリングであるFeatureSetDownlinkPerCCにより最大ＭＩＭＯレイヤ数（アンテナ数２，４あるいは８）を報告し、無線基地局（ＮＷ：Networkとも云う）が、該ユーザ端末のランク数、コードワード数を決定し、ＲＲＣのmaxNrofCodeWordsScheduledByDCIによりコードワード数（１あるいは２）を通知する（非特許文献１参照）。
【先行技術文献】
【非特許文献】
【０００５】
【非特許文献１】R2-1813713 3GPP TSG-RAN WG2 #103bis Chengdu, China, 8-12 October, 2018
【発明の概要】
【発明が解決しようとする課題】
【０００６】
無線基地局は、実際の通信に使用する最大ＭＩＭＯレイヤ数を決定し、無線基地局とユーザ端末との間で、最大ＭＩＭＯレイヤ数を共有する必要がある。【０００７】
しかしながら、これまで、ユーザ端末において、最大ＭＩＭＯレイヤ数を決定または想定する方法について規定されていない。【０００８】
ユーザ端末は、無線基地局との間で適切な最大ＭＩＭＯレイヤ数を共有できなければ、実施の通信で使用するレイヤ数よりも多くのレイヤ数に対応する受信を想定しなければならず、無用な演算リソースを確保する必要性が生じるおそれがある。【０００９】
本開示の目的は、下りリンクにおいて適切なＭＩＭＯレイヤ数で受信処理を行うことができるユーザ端末、無線基地局、及び、無線通信方法を提供することにある。同様に、無線基地局は、ユーザ端末との間で適切な最大ＭＩＭＯレイヤ数を共有できなければ、無線基地局の想定と異なり、高いレイヤ数のＭＩＭＯ伝送が出来ない恐れがある。
【課題を解決するための手段】
【００１０】
本開示の一態様に係るユーザ端末は、無線基地局から下りリンク信号を受信する受信部と、下りリンク信号に含まれる制御情報に基づいて最大ＭＩＭＯレイヤ数を想定する制御部と、を備える。【００１１】
本開示の一態様に係る無線基地局は、ユーザ端末から上り信号を受信する受信部と、前記上り信号に含まれる制御情報に基づいて、コードワード数および最大ＭＩＭＯリンク数を決定する制御部と、前記ユーザ端末に前記ＭＩＭＯレイヤ数を示す制御情報を含む下りリンク信号を送信する送信部と、を備える。【００１２】
本開示の一態様に係る無線通信方法は、無線基地局から下りリンク信号を受信し、下りリンク信号に含まれる制御情報に基づいて最大ＭＩＭＯレイヤ数を想定する。
【発明の効果】
【００１３】
本開示によれば、ユーザ端末が下りリンクにおいて適切なＭＩＭＯレイヤ数で受信処理を行うことができる。
【図面の簡単な説明】
【００１４】
【図１】一実施の形態に係る無線基地局の構成の一例を示すブロック図である。
【図２】一実施の形態に係るユーザ端末の構成の一例を示すブロック図である。
【図３】一実施の形態におけるＭＩＭＯレイヤ数の通知方法の第１の例を示す図である。
【図４】本開示に係る無線基地局及びユーザ端末のハードウェア構成の例を示す図である。
【発明を実施するための形態】
【００１５】
以下、本開示の実施の形態を、図面を参照して説明する。
【００１６】
（一実施の形態）
まず、本実施の形態に係る無線通信システムについて説明する。
【００１７】
本実施の形態に係る無線通信システムは、図１に示す無線基地局１０（例えば、ＮＷNetwork）、ｅＮＢ（ｅＮｏｄｅＢ）あるいはｇＮＢ（ｇＮｏｄｅＢ）とも呼ばれる）、及び、図２に示すユーザ端末２０（例えば、ＵＥとも呼ばれる）を備える。ユーザ端末２０は、無線基地局１０と無線接続（無線アクセス）される。なお、以下では、無線基地局１０は、ＮＷ１０と略記されることがある。
【００１８】
なお、以下に説明する無線基地局１０およびユーザ端末２０の構成は、本実施の形態に関連する機能の一例を示すものである。無線基地局１０およびユーザ端末２０には、図示しない機能を有してもよい。また、本実施の形態に係る動作を実行する機能であれば、機能区分、および／または、機能部の名称は限定されない。
【００１９】
図１は、本実施の形態に係る無線基地局１０の構成の一例を示すブロック図である。無線基地局１０は、送信部１０１と、受信部１０２と、制御部１０３と、を含む。
【００２０】
送信部１０１は、上位レイヤの信号から、物理レイヤの各種信号を生成し、生成した信号（下りリンク信号）をユーザ端末２０へ送信する処理を行う。例えば、送信部１０１は、制御部１０３の制御により、下りリンク信号を送信する。下りリンク信号には、例えば、maxNrofCodeWordsScheduledByDCIが含まれてよい。
【００２１】
受信部１０２は、ユーザ端末２０から信号（上りリンク信号）を受信し、受信した物理レイヤの上りリンク信号から、上位レイヤの信号を取得する処理を行う。
【００２２】
制御部１０３は、送信部１０１における送信処理の制御、および、受信部１０２における受信処理の制御を行う。例えば、制御部１０３は、ユーザ端末２０毎に、下りリンクで使用するＭＩＭＯレイヤ数を決定し、ＭＩＭＯレイヤ数を示す情報を送信するように送信部１０１を制御する。
【００２３】
図２は、本実施の形態に係るユーザ端末２０の構成の一例を示すブロック図である。ユーザ端末２０は、送信部２０１と、受信部２０２と、制御部２０３と、を含む。
【００２４】
送信部２０１は、上位レイヤの信号から、物理レイヤの各種信号を生成し、生成した上りリンク信号を無線基地局１０へ送信する処理を行う。例えば、送信部２０１は、制御部２０３の制御により、上りリンク信号を送信する。上りリンク信号には、例えば、FeatureSetDownlinkPerCCが含まれてよい。
【００２５】
受信部２０２は、無線基地局１０から下りリンク信号を受信し、受信した物理レイヤの下りリンク信号から、上位レイヤの信号を取得する処理を行う。
【００２６】
制御部２０３は、送信部２０１における送信処理の制御、および、受信部２０２における受信処理の制御を行う。例えば、制御部２０３は、ＭＩＭＯレイヤ数の検出処理を行い、ＭＩＭＯレイヤ数の検出処理の結果に基づいて、受信部２０２における受信処理を制御する。
【００２７】
次に、本実施の形態に係るＭＩＭＯレイヤ数の通知方法について説明する。
【００２８】
（第１の例）
第１の例では、無線基地局１０がＭＩＭＯレイヤ数をExplicitに通知する場合について説明する。図３は、本実施の形態におけるＭＩＭＯレイヤ数の通知方法の第１の例を示す図である。
【００２９】
図３に示すように、ユーザ端末２０は、無線基地局１０に、ユーザ端末２０の能力を示すシグナリング（UE capability signaling）であるFeatureSetDownlinkPerCCにより最大ＭＩＭＯレイヤ数（アンテナ数２，４あるいは８）を報告する。
【００３０】
無線基地局１０は、ユーザ端末２０のランク数、コードワード数および最大ＭＩＭＯレイヤ数を決定する。そして、無線基地局１０は、ユーザ端末２０に、ＲＲＣのmaxNrofCodeWordsScheduledByDCIによりコードワード数（１あるいは２）を通知する。さらに、無線基地局１０は、ユーザ端末２０に、Explicitに、ＭＩＭＯレイヤ数情報（The number of MIMO layers indication）により最大ＭＩＭＯレイヤ数を細かい粒度で通知する。
【００３１】
これにより、ユーザ端末２０は、実際に下りリンクで使用する最大ＭＩＭＯレイヤ数を適格に想定（assume）できる。したがって、ユーザ端末２０は、下りリンクにおいて適切なＭＩＭＯレイヤ数で受信処理を行うことができ、無用な演算の発生を抑止できる。
【００３２】
なお、本例では、無線基地局１０が、最大ＭＩＭＯレイヤ数を通知する代わりに、サポートするＭＩＭＯレイヤを通知しても良い。例えば、無線基地局１０は、各ランク（１乃至８）のサポートの有無を通知しても良い。その際、Bitmap形式（８ビットの情報）で通知しても良い。
【００３３】
また、本例において、上述のＭＩＭＯレイヤ数情報が、maxNrofCodeWordsScheduledByDCIを置き換える（replace）形で規定されても良い。この場合、ユーザ端末２０は、最大ＭＩＭＯレイヤ数に基づいて最大コードワード数を計算しても良い。例えば、ユーザ端末２０は、最大ＭＩＭＯレイヤ数が５以上の場合には最大コードワード数が２であると想定し、最大ＭＩＭＯレイヤ数が４以下の場合には最大コードワード数が１であると想定しても良い。
【００３４】
（第２の例）
第２の例では、ユーザ端末２０が、シグナリングしたユーザ端末２０の能力（Capability）に基づいて最大ＭＩＭＯレイヤ数を想定する場合について説明する。
【００３５】
この場合、ユーザ端末２０は、シグナリングしたユーザ端末２０の能力（Capability）よりも大きいレイヤ数を想定しない。例えば、ユーザ端末２０は、FeatureSetDownlinkPerCC（第２の上位レイヤパラメータ）で２を報告した場合、maxNrofCodeWordsScheduledByDCIで１を受信した場合であっても、最大ＭＩＭＯレイヤ数を２と想定する。
【００３６】
これにより、上記第１の例と同様の効果を得ることができる。
【００３７】
（第３の例）
第３の例では、ユーザ端末２０が、CodebookConfig（第１の設定情報）等の他の下りリンクの情報に基づいて最大ＭＩＭＯレイヤ数を想定する場合について説明する。
【００３８】
この場合、ユーザ端末２０は、例えば、CodebookConfigの２次元に配列されたアンテナポート数を表すパラメータN1, N2（例えば、縦方向のアンテナポート数N1と横方向のアンテナポート数N2）に基づいて最大ＭＩＭＯレイヤ数を想定しても良い。具体的には、ユーザ端末２０は、最大ＭＩＭＯレイヤ数を、2*N1*N2（２は偏波数）と想定しても良い。
【００３９】
あるいは、複数のコードブックが設定（Configure）された場合、ユーザ端末２０は、該コードワードの中で最大のアンテナポート数を用いるものに基づいて、最大ＭＩＭＯレイヤ数を想定しても良い。
【００４０】
あるいは、ユーザ端末２０は、CodebookSubsetRestriction（第１の上位レイヤパラメータ）に基づいて、最大ＭＩＭＯレイヤ数を想定しても良い。例えば、ユーザ端末２０は、CodebookSubsetRestrictionにおいて作動（Activate）されているRI（Rank Indicator）/PMI（Precoding Matrix Indicator）のうち最大レイヤ数のものに基づいて、最大ＭＩＭＯレイヤ数を想定しても良い。
【００４１】
これにより、上記第１の例と同様の効果を得ることができる。
【００４２】
（第４の例）
第４の例では、ユーザ端末２０が、CSI-RS configuration（第２の設定情報）に基づいて最大ＭＩＭＯレイヤ数を想定する場合について説明する。
【００４３】
この場合、例えば、ユーザ端末２０は、設定（Configure）されているCSI-RS（Channel State Information Reference. Signal）（所定の参照信号）のアンテナポート数を最大ＭＩＭＯレイヤ数と想定する。
【００４４】
また、複数のCSI-RSが設定（configure）されている場合には、ユーザ端末２０は、該CSI-RSの中の最大値に基づいて最大ＭＩＭＯレイヤ数を想定する。
【００４５】
これにより、上記第１の例と同様の効果を得ることができる。
【００４６】
（第５の例）
第５の例では、ユーザ端末２０が、無線基地局から通知されるmaxNrofCodeWordsScheduledByDCIに基づいて最大ＭＩＭＯレイヤ数を想定する場合について説明する。
【００４７】
この場合、ユーザ端末２０は、maxNrofCodeWordsScheduledByDCIにおいて、コードワード数が１であれば、最大ＭＩＭＯレイヤ数（最大ランク数）を４と想定し、コードワード数が２であれば、最大ＭＩＭＯレイヤ数（最大ランク数）を８と想定しても良い。
【００４８】
また、ユーザ端末２０は、設定（Configure）されているDM-RS（Demodulation Reference Signal）の情報に基づいて最大ＭＩＭＯレイヤ数を想定しても良い。例えば、ユーザ端末２０は、最大コードワード数１のDM-RSを適用するように通知された場合には最大レイヤ数が４であると想定し、最大コードワード数が２のDM-RSを適用するように通知された場合には最大レイヤ数が８であると想定しても良い。
【００４９】
なお、上記の説明で用いたパラメータの名称は一例であって、異なる名称であってもよい。
【００５０】
以上、本開示の実施の形態について説明した。
【００５１】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００５２】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００５３】
例えば、本開示の一実施の形態における基地局、ユーザ端末などは、本開示の無線通信方法の処理を行うコンピュータとして機能してもよい。図４は、本開示の一実施の形態に係る基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【００５４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【００５５】
無線基地局１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００５６】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【００５７】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、無線基地局１０の制御部１０３および／またはユーザ端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００５８】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００５９】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００６０】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、送信部２０１および受信部２０２などは、通信装置１００４によって実現されてもよい。
【００６１】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６２】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００６３】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００６４】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００６５】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００６６】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００６７】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【００６８】
（入出力の方向）
情報等（※「情報、信号」の項目参照）は、上位レイヤ（又は下位レイヤ）から下位レイヤ（又は上位レイヤ）へ出力され得る。複数のネットワークノードを介して入出力されてもよい。
【００６９】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００７０】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【００７１】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００７２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００７３】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７４】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００７５】
（「システム」、「ネットワーク」）
本開示において使用する「システム」及び「ネットワーク」という用語は、互換的に使用される。
【００７６】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００７７】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００７８】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００７９】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００８０】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００８１】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００８２】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【００８３】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【００８４】
同様に、本開示におけるユーザ端末は、基地局で読み替えてもよい。この場合、上述のユーザ端末２０が有する機能を基地局１０が有する構成としてもよい。
【００８５】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００８６】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００８７】
参照信号は、ＲＳ（Reference  Signal）と略称することもでき、適用される標準によってパイロット（Pilot）と呼ばれてもよい。
【００８８】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８９】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【００９０】
上記の各装置の構成における「手段」を、「部」、「回路」、「デバイス」等に置き換えてもよい。
【００９１】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【００９２】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【００９３】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【００９４】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【００９５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【００９６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【００９７】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【００９８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【００９９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１００】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１０１】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１０２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１０３】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１０４】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１０５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１０６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１０７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１０８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１０９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１１０】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１１１】
本開示に記載の「最大送信電力」は、送信電力の最大値を意味してもよいし、公称最大送信電力(the  nominal  UE  maximum  transmit  power)を意味してもよいし、定格最大送信電力(the  rated  UE  maximum  transmit  power)を意味してもよい。
【０１１２】
本開示において、例えば、英語でのa,  an及びtheのように、翻訳により冠詞が追加された場合、本開示は、これらの冠詞の後に続く名詞が複数形であることを含んでもよい。
【０１１３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１１４】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１１５】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０１１６】
本開示の一態様は、無線通信システムに有用である。
【符号の説明】
【０１１７】
１０  無線基地局
２０  ユーザ端末
１０１、２０１  送信部
１０２、２０２  受信部
１０３、２０３  制御部
【図１】
2020070898.tif 000003
【図２】
2020070898.tif 000004
【図３】
2020070898.tif 000005
【図４】
2020070898.tif 000006
【国際調査報告】
2020070898.tif 000007
2020070898.tif 000008
2020070898.tif 000009
2020070898.tif 000010